(57)【要約】  コンベア装置のチェーンの水平走行速度の脈動を抑制するために、チェーンをスプロケットで駆動するコンベア装置において、チェーンのピンを案内するガイドを備え、ガイドの案内面は、ピンを、或るリンクの第１および第２のピン間の距離を半径とした円弧と、スプロケット溝の中心を通る径方向直線との交点の軌跡に沿って案内し、ガイド入口部分では、ピンをスプロケットのピッチ円上の位置で受け入れ、続いて、ピッチ円の径方向外側位置にまで移動させ、ステップの揺動と共にチェーンの脈動を抑制する。チェーンを用いたコンベア装置の脈動が抑制できる。
2010134223.tif 000002
【特許請求の範囲】
【請求項１】
スプロケットと、上記スプロケットに噛み合って駆動され、１つのリンクについて設けられた第１および第２のピンによって互いに連結された複数のリンクを持つチェーンとを備えたコンベア装置において、
上記チェーンの上記ピンを案内して上記チェーンの速度変動を抑制するガイドを備え、  上記ガイドは、上記ピンを、或るリンクの第１のピンの中心から第２のピンの中心までの長さを半径として描いた円弧と、スプロケットの中心と上記スプロケットの或る溝の中心の位置とを結ぶ径方向直線との交点の軌跡に沿って案内する案内面を備えていることを特徴とするコンベア装置。
【請求項２】
上記案内面が、上記ピンを、上記案内面入口部分においては、上記ピンの中心が、上記スプロケットのピッチ円上になる位置で受け入れ、続いて、上記スプロケットのピッチ円よりも径方向外側の位置にまで移動させる案内面であることを特徴とする請求項１に記載のコンベア装置。
【請求項３】
上記ガイドが、上記スプロケットに沿って配置されたカム板部材であることを特徴とする請求項１あるいは２に記載のコンベア装置。
【請求項４】
上記スプロケットの上記溝が、上記スプロケットの半径方向に延びていて、上記ピンが上記溝内に受け入れられたまま上記案内面に沿って移動できるようにしてあることを特徴とする請求項１〜３のいずれか一項に記載のコンベア装置。
【発明の詳細な説明】
【技術分野】
【０００１】
この発明は、スプロケットとチェーンによって駆動されるコンベア装置に関し、特に、乗客を運ぶための踏板を備えた乗客コンベアあるいはエスカレータ等のコンベア装置に関するものである。
【背景技術】
【０００２】
エスカレータ等の、スプロケットとチェーンによって駆動されるコンベア装置においては、踏板をチェーンやリンクで無端状に接続し、それを複数歯を有するスプロケットで巻き取り牽引することにより循環路に沿って駆動している。循環路の反転部分においては、踏板を接続するリンクが、スプロケットに巻き掛けられていて、円周を歯数で等分割した多角形状となり、スプロケットの回転する位相により回転半径が変動し、リンクおよび踏板の水平移動の速さに脈動といわれる速度の変動が発生する。これが原因となり乗客コンベアの乗り心地が悪化していた。【０００３】
これに対して、踏板が乗客の乗り込む範囲から構造体内部を走行する範囲において、踏板が走行するガイドレールに凹凸をつけ、乗客が乗り込む範囲での水平方向の速度を一定に保つような対策が提案されている（例えば特許文献１参照）。【０００４】
また、牽引するスプロケットに対して、制御技術を用いて水平部の速度変動を打ち消すような回転を与えて、踏み段水平部分の走行速度の変動を打ち消すような対策も考えられている（例えば特許文献２参照）。
【先行技術文献】
【特許文献】
【０００５】
【特許文献１】特開２００３−２５２５６０号公報（パラグラフ０００６〜０００７および図３）
【特許文献２】特表２００４−５１６２０８号公報（パラグラフ０００８〜０００９および図４）
【発明の開示】
【発明が解決しようとする課題】
【０００６】
しかしながら、ガイドレールに凹凸を設けて乗客コンベアの速度変動を抑制するものでは、結果として速度変動を抑制できたとしても、ガイドレールを幾何学的に決まる不規則な形状に曲げ加工する必要があり、製作が困難でコストが高くなっていた。【０００７】
また、駆動制御技術を用いるコンベア装置においては、基本的に一定速度で動かせば条件を満足する乗客コンベアの駆動源に対して、スプロケットの位相や踏み段の速度といった情報を制御系にフィードバックする手段や、その情報から駆動機速度を制御するための制御回路が必要であり、システムとして製作および保守点検にコストの掛かる対策であった。【０００８】
従ってこの発明の目的は、上述のような問題点を解決するためになされたものであり、複雑な加工工程を要する部品や高価な制御回路を必要とせずに速度変動を抑制したコンベア装置を提供することである。
【課題を解決するための手段】
【０００９】
この発明によるコンベア装置は、スプロケットと、上記スプロケットに噛み合って駆動され、１つのリンクについて設けられた第１および第２のピンによって互いに連結された複数のリンクを持つチェーンとを備えたコンベア装置において、上記チェーンの上記ピンを案内して上記チェーンの速度変動を抑制するガイドを備え、上記ガイドは、上記ピンを、或るリンクの第１のピンの中心から第２のピンの中心までの長さを半径として描いた円弧と、スプロケットの中心とスプロケットの或る溝の中心の位置とを結ぶ径方向直線との交点の軌跡に沿って案内する案内面を備えていることを特徴としている。
【発明の効果】
【００１０】
この構成により、スプロケットの多角形運動が原因となる踏み段の水平速度脈動が無くなり、乗客の乗り心地が向上できる。
【図面の簡単な説明】
【００１１】
【図１】この発明の実施例１によるコンベア装置のスプロケットとチェーンとガイドとの関係を示す側面図である。（実施例１）
【図２】図１の線ＩＩ−ＩＩに沿った断面図である。（実施例１）
【図３】図１のコンベア装置のガイドの案内面形状の作図方法を示す図である。（実施例１）
【図４】本発明の実施例２によるコンベア装置の踏み段速度変動抑制機構に関する水平部経路高さによる踏段の姿勢変化を示す側面図である。（実施例２）
【図５】本発明の実施例２によるコンベア装置の案内面形状の作図方法を示す図である。（実施例２）
【発明を実施するための最良の形態】
【００１２】
以下、この発明の実施の形態について説明する。
【実施例１】
【００１３】
図１〜３はこの発明のコンベア装置を示し、図１はコンベア装置の反転部におけるスプロケットとチェーンとガイドとの関係を示す図であり、図２は図１の線ＩＩ−ＩＩに沿った断面図であり、図３はチェーンリンクのピンが移動すべき軌跡の作図の仕方を説明するための説明図である。【００１４】
乗客コンベアにおけるスプロケット駆動による踏板あるいはチェーンの水平速度の変動の問題は良く知られているが、この速度変動は、スプロケットが回転することによる駆動半径の変動が大きいほど大きくなり、駆動半径の変動は、歯数が少なく多角形運動の度合いが大きいほど大きくなる。【００１５】
一般的な乗客コンベアでは、踏板の間隔は約４１０ｍｍで大きなバラツキはなく、筐体寸法もほぼ横並びであることから、スプロケットの大きさに大きな差はなく、多角形運動の大きさを示すスプロケットの歯数は踏板間のリンクの数によって決まる。つまり踏板間のリンク数が少なく、スプロケットの歯数が少ないほど多角形運動が顕著になる。そこでここでは、踏板の水平部速度変動が最も顕著に現れるように、踏板間が１つのリンクで連結された場合を例にとって、その動作を説明する。【００１６】
ここで多角形運動による速度変動の発生原理について説明すると、スプロケットの溝数（歯数）が５の場合、スプロケット１の回転角で７２°を周期として一溝ずつ噛合いが進んでいく。つまり、チェーンのリンクの或るピン６が１２時の位置で噛合ってから次のピン６が１２時の位置に来るまでに、スプロケットの一定速度の回転によって踏板の水平速度を発生する駆動半径（スプロケットの溝に係合したチェーンの軸のスプロケットピッチ円の半径の垂直方向成分）は、スプロケット１のピッチ円半径をｒとすると、ｒからｒ・ｃｏｓ７２°の範囲で変動することになり、スプロケットの回転速度が一定であるので、この駆動半径の変動に伴い、チェーンの水平速度の変動が発生することになる。【００１７】
乗客コンベアの場合、これは踏板の速度変動となって現れ、乗客の乗り心地を悪化させる大きな要因である。【００１８】
ところで、スプロケットのチェーンとの噛合い位置と踏板の位置の関係は、踏板の水平経路とスプロケットの回転中心位置が決まれば幾何学的に一意に決まるものであり、本発明はこれを利用してチェーンの従って踏板の水平経路上での速度変動を抑制するものである。【００１９】
従って、この発明によれば、スプロケットと、スプロケットに噛み合って駆動され、１つのリンクについて設けられた第１および第２のピンによって互いに連結された複数のリンクを持つチェーンとを備えたコンベア装置は、チェーンのピンを案内してチェーンの速度変動を抑制するガイドを備え、このガイドは、ピンを、或るリンクの第１のピンの中心から第２のピンの中心までの長さを半径として描いた円弧と、スプロケットの中心とスプロケットの或る溝の中心の位置とを結ぶ径方向直線との交点の軌跡に沿って案内するものである。【００２０】
また、スプロケットの溝が、半径方向に延びていて、ピンが軌跡に沿って移動できるようにしてある。【００２１】
即ち、図１および２において、コンベア装置は、スプロケット１と、スプロケット１に噛み合って図で反時計方向に駆動されるチェーン２とを備えている。スプロケット１は、図示してない主枠上に回転軸３によって回転中心４回りに回転可能に支持されていて、周縁に互いに等間隔に離間した５つの溝５ａ〜５ｅを備えている。チェーン２は、それぞれ進行方向前後に互いにピン６で連結されて環状をなす複数のリンク７を備えている。【００２２】
チェーン２は、主枠（図示してない）に取り付けられた上ガイドレール８によって案内されながら、スプロケット１に供給されて、進行方向前方のピン６が先ずスプロケット１の図１で１２時の方向に在る第１の溝５ａに係合する。第１の溝５ａに係合した第１のピン６はスプロケット１によって図１で左側に駆動される。【００２３】
コンベア装置はまた、チェーン２のピン６を案内してチェーン２の速度変動を抑制するガイド９を備えている。このガイド９は、スプロケット１に沿って平行に同軸に配置され、ほぼ半円形のカム板部材であって、チェーン２のピン６を、変形した円弧状の案内面１０に沿って案内するものである。案内面１０に沿って案内されてスプロケット１を巡って反転したチェーン２のピン６は、スプロケット１の溝から離れ、下ガイドレール１１に受け入れられて案内されつつ循環する。スプロケット１の溝５ａ〜５ｅは、スプロケット１の半径方向に長く延ばされていて、ピン６が溝５ａ〜５ｅ内に受け入れられたまま、案内面１０に沿って移動できるようにしてある。【００２４】
ガイド９の案内面１０は、先の説明では変形した円弧状と説明したが、正確にはチェーン２のピン６を図３に示す作図方法によって得られる軌跡を描くように案内する形状のものである。案内面１０は、図１に示すように、スプロケット１の１２時の位置では、スプロケット１のピッチ円１２よりも径方向内側にあり、チェーン２のピン６が溝５ａに完全に受け入れられるような位置にある。案内面１０は、その位置から湾曲した曲線を描きながら次第にピッチ円１２に近づき、１２時の位置から７２°反時計方向に回転した位置ではピン６が溝５ｂから殆ど脱出した位置に押し出されるような位置にある。更に７２°反時計方向に回転した溝５ｃの位置では、案内面１０は再びピッチ円１２よりも内側に入り込んでピン６が溝５ｃに受け入れられるように案内する。案内面１０はそこから次第に径方向外側に向かって延びて、ほぼ６時の位置でピン６がピッチ円１２にほぼ外接するような位置となっていて、そこでピン６の下ガイドレール１１への受け渡しをするようにされている。【００２５】
このような案内面１０を得るための作図方法は図３から明らかな通りであり、チェーン２の複数のリンク７のうち、或るリンク７の進行方向後方のピン６の中心を中心としてそのリンク７の進行方向前方のピン６の中心までの長さＬを半径として描いた円弧と、スプロケット１の回転中心４とスプロケット１の或る溝の中心の位置とを結ぶ径方向直線との交点を滑らかに結んで得られる曲線をピン６が辿って移動すべきピン中心移動曲線とし、このピン中心移動曲線からピン６の半径だけ内側に移動させて得た曲線を案内面１０とするのである。【００２６】
図３に示す例に於いては、先ず、チェーン２の複数のリンク７のうち、例えば進行方向前方のピン６がスプロケット１の１２時の位置にある溝５ａの中に受け入れられているリンク７（図３で右上に２点鎖線で示されているリンク７）の進行方向後方のピン６の中心ａ０を中心として進行方向前方のピン６の中心までのピン間長さＬを半径として描いた円弧ｒ０と、スプロケット１の回転中心４とスプロケット１の１２時の位置にある溝５ａの中心とを結ぶ径方向直線Ｒｂ０との交点ｂ０を得る。【００２７】
次にリンク７がＬ進む間に、スプロケットは７２°回転する必要があるが、必要な精度を得るためにリンクのピン間長さＬを４等分して、リンク７のＬ／４ずつの進行位置毎のピン６が占めるべき位置を求める。従って、進行方向後方のピン６の中心ａ０がＬ／４＝Δｘ０進んでａ１の位置になり、この間にスプロケット１がΔθ０＝７２°／４＝１８°回転するためには、進行方向前方のピン６の中心は、進行方向後方の中心ａ１を中心として半径Ｌで描いた円弧ｒ１と、１２時の位置から１８°反時計方向に回転した径方向直線Ｒｂ１との交点ｂ１上にある必要がある。【００２８】
同様に、進行方向前方のピン６の中心は、リンク７のＬ／４ずつの移動に伴って進行方向後方のピン６の中心がａ１からａ２、ａ３、ａ４へと進み、それらの中心から半径Ｌで描いた円弧ｒ２、ｒ３、ｒ４と、１８°ずつ進んだ径方向直線Ｒｂ２、Ｒｂ３、Ｒｂ４との交点ｂ２、ｂ３、ｂ４上にある必要がある。このような作図作業を同様に続けると、図３に示すように、交点ｃ１、ｃ２、ｃ３、ｃ４、ｄ１、ｄ２およびｄ３が得られ、これらの一連の交点ｂ０（ａ０）〜ｂ４、ｃ１〜ｃ４およびｄ１〜ｄ３を滑らかに結んだ曲線がピン中心移動曲線である。ガイド９の案内面１０の曲線は、このピン中心移動曲線に対してピン６の半径分だけ内側に移動した曲線Ｓであり、またピン６に内側から接する曲線でもある。【００２９】
この構成により、スプロケット１が回転することにより、チェーン２のリンク７のピン６が、ガイド９の案内面１０の形状を求める際に行った幾何的検討で求めたとまったく同じ動きをすることになり、上ガイドレール８上を走行するピン６に連結された踏板は、スプロケット１上でのリンク７多角形運動による水平速度の脈動をまったく発生することなく一定速度で移動することができる。【００３０】
ここで、実際に本方式を用いて固定レール形状を決定した場合を考える。図３に示すとおり、スプロケット１上の１２時の位置で踏段の水平速度脈動を抑制するための経路は、本来のピッチ円１２よりも低い位置になっている。これは、先に述べた設計手順に沿って経路を求める際に、本来のピッチ円１２に従った水平高さを仮定すると、最初の移動時にａ１を中心とする半径Ｌの円弧と円の半径線であるｒ１との間に交点が存在しないからである。これは、水平部の移動距離Δｘ０に対して、スプロケット１の回転に伴う円弧距離の方が長いことが原因であるので、これを解決して経路を決定するための交点ｂ１を求めるためには、図３のように水平部高さ（ａ０〜ａ４の位置）を下げて、同じ回転角に伴うｂ０、ｂ１間の円弧長さを短くすればよい。【００３１】
しかし、実際の乗客コンベアの踏段では、図４（ａ）に示すとおり踏段１３の姿勢は踏段１３に取り付けられたピン６とそれを案内するレール８および１１の取り付け位置によって規定されている。よって、図３に示すように水平部の速度脈動を抑制するために、下側の案内レール１４の高さを変えずに上ガイドレール８の位置を低くして水平部高さを変更すると、踏段１３の形状やピン６取り付け位置が変わらないと仮定した場合、図４（ｂ）のように踏段１３の姿勢が変化し大きく傾くことになってしまう。これに対してはピン取り付け位置を含めた踏段１３の形状変更により解決することが可能ではあるが、製品としての性能向上を目的として考えた場合、踏段の形状変更は従来機との互換性や構造変更に伴う大幅なコストアップといった問題が発生する。
【実施例２】
【００３２】
従って図５に示すこの発明のコンベア装置においては、水平部での踏段姿勢の変化をできるだけ小さくしつつ踏段水平部速度の脈動を抑制する駆動機構が提案されている。【００３３】
先述の通り、１２時の位置を始点とした経路決定手法において、最初のステップでａ１を中心とする半径Ｌの円弧と１２時からΔθ回転した半径線Ｒｂ１には交点が存在せず経路を決定することができない。しかし、スプロケット１による牽引では、１２時の位置でスプロケット１とピン６が必ず噛合わなければならないことはなく、その時点で他のいずれかのピン６がスプロケット１の溝と噛合うことで牽引する力を発生すればよい。【００３４】
図３に示す脈動抑制機構では、初期位置においてスプロケット１と噛合うピン６を、１２時に位置するピン６よりひとつ先に位置するピン６（中心ｂ１を持つピン６）とし、先述の手順に従って脈動抑制レール経路を決定するものである。図３に示すように、ピッチ円１２と同じ高さの線上でスプロケット１の１２時の位置から踏段間距離Ｌ離れた位置を経路決定の始点ａ０とすると、Δｘ０進んだ水平部ａ１を中心とする円弧ｒ１と、スプロケット１がΔθ１回転した線分Ｒｂ１とに交点が求められない。【００３５】
そのためこの実施例によるコンベア装置においては、図５に示すように、経路決定の始点ａ０をスプロケット１に接近する方向にずらした位置に設定する。すると、初期位置でのスプロケット１の１２時に位置するピン６の位置が、ピッチ円１２に対してやや外側の交点として求められる。この高さは、水平部初期位置あａ０を本来の位置からスプロケット１方向に接近させる量が大きいほど高くなり、スプロケット１突入直前での踏段の姿勢の傾きが大きくなる。そのため、この値はできる限り小さな値となるように設定する必要がある。【００３６】
このとき、１２時位置のピン６（中心ｂ０）はピッチ円から外に位置するため、１２時位置においてはスプロケット１の溝５ａとの噛合いは発生していない。一方、このときの１２時に位置するピン６（中心ｂ０）のひとつ先のピン６（中心ｂ４）は、１２時に位置するピン６の中心ｂ０がピッチ円１２の外側にあるため、これを中心とする円弧とひとつ先の溝の中心線Ｒｂ４との交点（ｂ４）は、本来のピッチ円１２に対して内側に位置することになり、スプロケット１溝５ｂとの噛合いが発生していることになる。よって、初期位置において、１２時に位置する中心ｂ０のピン６では噛合いがないものの、中心ｂ４のピン６において噛合いが確保されているため、スプロケット１による牽引動作には何等支障を来たすことがない。【００３７】
このようにして図３に示す作図方法と同様に、チェーン２の複数のリンク７のうち、或るリンク７の進行方向後方のピン６の中心を中心としてそのリンク７の進行方向前方のピン６の中心までの長さＬを半径として描いた円弧と、スプロケット１の回転中心４とスプロケット１の或る溝の中心の位置とを結ぶ径方向直線との交点を滑らかに結んで得られる曲線をピン６が辿って移動すべきピン中心移動曲線とし、このピン中心移動曲線からピン６の半径だけ内側に移動させて得た曲線Ｓが案内面１０である。【００３８】
その他の構成は先に説明したものと同様である。このとき、各ピン６とスプロケット１とは、一般にチェーンにかかる張力を単独で受け持つことを仮定した強度設計がなされているため、噛合い位置が変更したことによる、強度面、寿命面での新たな問題が発生することもない。この構成により、本来のピッチ円高さ１２を走行経路としながら、かつ水平部速度脈動を抑制することができる駆動機構が実現できる。【００３９】
この実施例２によれば、踏板の間隔やスプロケット１の歯数（溝５ａ〜５ｅの数）から幾何学的に一意に決まる曲線Ｓに基づいた案内面１０を持つガイド９を用いるため、構造的にも非常に安価で、また幾何学的に一意に決まる経路を走行するため確実に速度変動と共にステップの揺動をも抑制することができる。特に、ガイド９を一般的な板金の切断加工によって製作したカム板部材で構成すると、構造が単純で信頼性が高く、製造も容易である。【００４０】
以上に図示して説明したコンベア装置は単なる例であって様々な変形が可能であり、またそれぞれの具体例の特徴を全てあるいは選択的に組み合わせて用いることもできる。
【産業上の利用可能性】
【００４１】
この発明は乗客コンベアなどのコンベア装置に利用できるものである。
【符号の説明】
【００４２】
１  スプロケット、２  チェーン、３  回転軸、４  回転中心、５ａ〜５ｅ  溝、６  ピン、７  リンク、８  上ガイドレール、９  ガイド、１０  案内面、１１  下ガイドレール、１２  ピッチ円、１３  踏段、１４  案内レール、ａ０〜ａ４  中心、ｂ０〜ｂ４  交点、ｃ１〜ｃ４  交点、ｄ１〜ｄ３  交点、Ｌ  ピン間長さ、ｒ０〜ｒ４  円弧、Ｒｂ０〜Ｒｂ４  径方向直線、Ｓ  曲線。
【図１】
2010134223.tif 000003
【図２】
2010134223.tif 000004
【図３】
2010134223.tif 000005
【図４】
2010134223.tif 000006
【図５】
2010134223.tif 000007
【手続補正書】
【提出日】平成23年6月20日(2011.6.20)
【手続補正１】
【補正対象書類名】特許請求の範囲
【補正対象項目名】全文
【補正方法】変更
【補正の内容】
【特許請求の範囲】
【請求項１】
スプロケットと、上記スプロケットに噛み合って駆動され、１つのリンクについて設けられた第１および第２のピンによって互いに連結された複数のリンクを持つチェーンとを備えたコンベア装置において、
上記チェーンの上記ピンを案内して上記チェーンの速度変動を抑制するガイドを備え、
上記ガイドは、上記スプロケットと上記ピンとの噛み合い始める位置を調整することにより該スプロケットへの突入高さを調整し、且つ、上記ピンを、或るリンクの第１のピンの中心から第２のピンの中心までの長さを半径として描いた円弧と、スプロケットの中心と上記スプロケットの或る溝の中心の位置とを結ぶ径方向直線との交点の軌跡に沿って案内する案内面を備えていることを特徴とするコンベア装置。
【請求項２】
上記案内面が、上記ピンを、上記案内面入口部分においては、上記ピンの中心が、上記スプロケットのピッチ円上になる位置で受け入れ、続いて、上記スプロケットのピッチ円よりも径方向外側の位置にまで移動させる案内面であることを特徴とする請求項１に記載のコンベア装置。
【請求項３】
上記ガイドが、上記スプロケットに沿って配置されたカム板部材であることを特徴とする請求項１あるいは２に記載のコンベア装置。
【請求項４】
上記スプロケットの上記溝が、上記スプロケットの半径方向に延びていて、上記ピンが上記溝内に受け入れられたまま上記案内面に沿って移動できるようにしてあることを特徴とする請求項１〜３のいずれか一項に記載のコンベア装置。
【国際調査報告】
2010134223.tif 000008
2010134223.tif 000009